(57)【要約】【課題】過大な設備を要しないで、木屑等のゴミを確実に取り除くことができ、作業性が良好であり、少ない水で足りることになる砂利からの木屑等の異物除去方法を提供する。【解決手段】砂利の落下口の下に水または空気の噴射装置を設けておいて、落下口からほぼ一定量の砂利を集中して連続的に落下させながら落下中の砂利にノズルにより横から勢い良く水または空気を噴射させ、砂利に混入する木屑等のゴミを噴射の勢いで一方に吹き飛ばして分離する。【効果】砂利からの木屑等の異物を除去するについて、集中落下する砂利に水または空気を噴射する方法であるので、過大な設備を要しないで、木屑等のゴミを確実に取り除くことができ、作業性が良好であるとともに動力や水を余り要しなく、コスト安において品質の良い生コン資材を速やかに提供できる。【選択図】    図１
2004243168.tif 000002
【特許請求の範囲】
【請求項１】
砂利の落下口の下に水または空気の噴射装置を設けておいて、落下口からほぼ一定量の砂利を集中して連続的に落下させながら落下中の砂利にノズルにより横から勢い良く水または空気を噴射させ、砂利に混入する木屑等のゴミを噴射の勢いで一方に吹き飛ばして分離することを特徴とする砂利からの木屑等の異物除去方法。
【請求項２】
ノズルの対向する側に、吹き飛ばされたゴミが投入される受口を設け、ゴミを受口から通水性のかごに導くことを特徴とする請求項１記載の砂利からの木屑等の異物除去方法。
【発明の詳細な説明】
【０００１】
【発明の属する技術分野】
この発明は、採石場等において採取した原石としての砂利（または砕石）に混ざっている木屑等のゴミを取り除くための砂利からの木屑等の異物除去方法に関する。
【０００２】
【従来の技術】
採石場においては、殊に河川から採石された砂利の原石に木屑や葉っぱのように自然に由来する夾雑物や、プラスチックの生活廃棄物等が混入しており、これらが混入する砂利がコンクリートの骨材に使用されると、コンクリート製品の強度を著しく損じることになる。殊に、４０ミリ程度の大きさの砕石に混入していると、品質の低下や強度に与える影響は大きく、絶対に避けねばならないので、生コン向け商品として供する前にそれらの異物が除去される。これには、従来から、手作業により取り除き、また、水槽や回転ドラムを用いた装置により機械的に取り除いていたが、水分を充分に吸収した木屑等は、比重差による選別はどうしても不完全であった。
【０００３】
水槽による場合は、特開昭６３−２１８２６５号公報に記載されており、水槽の一端において水を勢いよく他端方向に噴出させるとともに、その噴出水流に砂利を落下させることによって、砂利から異物を分離するもので、これによると、比重の大きい砂利が水槽に沈下するので、底から砂利が水槽の外へ搬出され、木屑や葉っぱのように比較的軽い異物が水面に浮上するので、それを他端から溢れる水とともに落下させ、落下する排水部において異物が回収される。
【０００４】
また、回転ドラムによる場合としては、特開昭５３−３２４７１号公報に記載されるように、送り螺旋羽根が内周に突設されたドラム本体内に、同軸回転する台頭円錐形の砂利導入筒を内装するとともに、洗浄水の導入パイプを中へ臨ませたもので、これによれば、砂利導入筒の径の大きい側の傾斜端に砂利が転がり落ちるので、その側のドラム開口縁との間の隙間から砂利を本体内の螺旋羽根の間に落下させるものであるが、その隙間に導入パイプからの水を吹き上げさせてドラム開口縁から溢れる水とともに木屑等のゴミが機外に排出される。
【０００５】
【発明が解決しようとする課題】
しかし、上記のような水槽による方法によれば、砂利を沈下させる水槽ばかりでなく、水中に沈下した砂利を搬出するリフトコンベアが必要で、全体的に装置が過大となり、また、搬出に多大な動力を要することから、運転コストが非常にかかるという問題があった。
【０００６】
また、回転ドラムによる方法であると、二重にドラムとなるように構造が複雑となるために、同じように設備が過大となり運転コストがかかるばかりか、ゴミを除去する作業性が悪く、また、いずれの場合も多量の水を必要とするという問題があった。
【０００７】
この発明は、上記のような実情に鑑みて、過大な設備を要しないで、木屑等のゴミを確実に取り除くことができ、作業性が良好であり、少ない水で足りることになる砂利からの木屑等の異物除去方法を提供することを目的とした。
【０００８】
【課題を解決するための手段】
上記の目的を達成するために、この発明は、砂利の落下口の下に水または空気の噴射装置を設けておいて、落下口からほぼ一定量の砂利を集中して連続的に落下させながら落下中の砂利にノズルにより横から勢い良く水または空気を噴射させ、砂利に混入する木屑等のゴミを噴射の勢いで一方に吹き飛ばして分離することを特徴とする砂利からの木屑等の異物除去方法を提供するものである。
【０００９】
【作用】
上記の構成によれば、落下口から砂利が木屑等のゴミと共に落下すると、落下するときに受ける空気抵抗により砂利とゴミが別れる現象を起こすことに加えて、水または空気の噴出圧力により軽いゴミが大小を問わず吹き飛ばされ、質量の大きい砂利がそのまま落下して一箇所に堆積される。
【００１０】
【発明の実施の形態】
この発明は、砂利に混入している木屑等を水または空気の噴射する力により吹き飛ばして除去するものであるから、噴射装置３には、水を噴射するノズル７または空気を噴射するノズル８のいずれかが設けられる。しかし、両方を共に備えているものであっても良い。例えば、最初に水を噴射してから、その下で空気を噴射して、水と空気とで段違いに吹き飛ばすやり方である。こうすれば、砂利ａに付着している泥や砂等も除去しやすい。いずれにしても、取り残しがないよう木屑等を吹き飛ばす確率を高めるために、数段にノズル７，８を配置することが望ましい。
【００１１】
水や空気の噴射により木屑等を空中に吹き飛ばし放しにしても良いが、こうすると、木屑等が風に乗って行方が定まらないので、一か所に回収し得るように、受口５を設け、それに向かって噴射するようにすることが好ましい（請求項２）。また、回収のかご１５に水が溜まらないように例えば編み目を有する通水性のものを用いる。水が得られがたい環境であれば、かご１５から下に通過した水は再利用するようにしても良い。
【００１２】
砂利ａからの木屑等の分離は集中落下中に行うので、そのための落下口２が必要であるが、それは例えばホッパーのような装置となるが（図１）、先行する装置で砂利ａを整えることができれば、その装置の例えば回転ドラム４の口を落下口２としても良い（図３）。また、集中落下させるが、ある程度分散していると、バラバラになっている砂利ａの隙間を抜けてゴミｂに噴射水や空気が当たりやすいので分離効率が良くなる。したがって、図１のような落下口２としてのホッパーには、分散機能を備えておくのも一方策である。
【００１３】
分離効率から見ると、噴射圧力が強いほどそれが向上するが、反面強い圧力により砂利ａまでも吹き飛ばす不都合が生じてくるので、その兼ね合いを取る調整が必要である。この点については、落下が下に来るほどスピードが早くなる点を利用できる。つまり、落下中の速度は、質量の違いから降下するほどに砂利ａと木屑等とでは次第に違ってくることから相互の分離現象が生じる。また、砂利ａどうしであっても、下に降下するほど（スピードが早くなるほど）、砂利間の上下の間隔が開くことになる。そこで、出来るだけ下方に（地面に近い位置に）噴射装置３を設け、高い噴射力により分離効率を高めることもできる。
【００１４】
【発明の効果】
以上説明したように、この発明は、砂利からの木屑等の異物を除去するについて、集中落下する砂利に水または空気を噴射する方法であるので、過大な設備を要しないで、木屑等のゴミを確実に取り除くことができ、作業性が良好であるとともに動力や水を余り要しなく、コスト安において品質の良い生コン資材を速やかに提供できるという優れた効果を奏する。
【００１５】
【実施例】
次に、この発明を実施例の図面に基づいて具体的に説明するが、これらは例示であるので、その記載により発明が限定されるものではないことは言うまでもない。
【００１６】
図１は、この発明方法を実施するための一例の装置を示したもので、それは、リフトベルトコンベア１の上端から砂利ａを落下させるもので、落下途中の位置に、水の噴射装置３と、ゴミｂの受口５とが対向して設置され、砂利ａの荷卸し、荷積み、移動等に伴う搬送にも用いられるようになっている。なお、コンベア１の上端にホッパー型の落下口２が備えられている。
【００１７】
ベルトコンベア１は、砂利の採石場や集積場において、砂利の積み卸しや移動等に一般的に使用されているもので、ベルトコンベア１を支持するフレーム（図示省略）に噴射装置３と受口５とが落下口２の真下の位置を挟んで対向して取り付けられる。コンベア１の上では、比較的軽い木屑等のゴミｂは砂利ａの上に浮かんで上に運ばれる関係から、ゴミｂが落下口２では砂利ａよりも前方Ｐとなりやすいので、噴射装置３を落下口２よりも背後に位置して設けてある。こうすればゴミｂが砂利ａに妨げられなく、突き当たらないように吹き飛ばされる。
【００１８】
噴射装置３は、図２に示すように、水を吹き出す多数のノズル７，７，・・が縦横に均等に配列されたもので、ポンプ９からホース１１により圧送された水が噴射して落下中の砂利ａに当たると、それに付着していた泥や砂等も除去されて受口５に投入される。この泥や砂等の付着物は、ノズル７がやや下向き傾斜であると比較的除去しやすい場合もあり、その点なども考慮して、噴射装置３は軸８を中心に角度調整できるようになっている。
【００１９】
受口５は、上向き開口となっており、また、下向き傾斜の排出路１３が接続されて、その出口の下に金網のかご１５が置かれているので、勢い良くそのかご１５にゴミｂが水とともに排出され、水は下の排水路１７に流下するようになっている。また、受口５は、可動支持フレーム１８により左右上下に位置調整可能となっている。
【００２０】
図３は、予備洗浄装置１０を先行して設けたもので、それには回転ドラム２０をコンベア兼用として使用される。つまり、回転ドラム２０の内周面には砂利ａを送る螺旋羽根１９が突設されているので、ホッパー２１でドラム２０に投入された砂利ａが前方に送られるが、その送り中における攪拌により泥や砂等の付着物が分離されるように、ドラムには砂利ａと共に水ｃが投入される。２３が水ｃの供給管である。この水ｃが逆流しないように、ドラムの後端に内鍔２５が形成されている。また、回転ドラム２０の端部には、泥や砂を除去する排出装置（図示省略）が設けられる。なお、この場合は、一定量が集中して回転ドラム２０から排出されやすいので、その端がそのまま落下口２となっている。
【００２１】
また、噴射装置３は、コンプレッサー２７からホース２９で圧送された空気をノズル８から吹き出すようにしたもので、落下口２から水と混ざった砂利ａが落下する途中で、圧縮空気の噴射の圧力により受口５に木屑等のゴミｂが投入され、また、残っている泥、砂等も水と共に投入される。
【００２２】
上記の２例は空中でゴミｂを分離除去する場合を示したが、風雨等の自然条件に左右されないように、図４は、落下筒３１の中において分離除去するようにしたもので、落下筒３１に噴射装置３のノズル７（８）の噴射口３３が開口し、その対面に受口５が開口している。
【図面の簡単な説明】
【図１】この発明方法を実施する装置を示す説明図である。
【図２】同装置における噴射装置の正面図である。
【図３】他の実施例に係る装置を示す説明図である。
【図４】さらに他の実施例に係る装置の要部を示す説明図である。
【符号の説明】
２  落下口
３  噴射装置
５  受口
７  水の噴射ノズル
８  空気の噴射ノズル
１５  かご
【図１】
2004243168.tif 000003
【図２】
2004243168.tif 000004
【図３】
2004243168.tif 000005
【図４】
2004243168.tif 000006